(57)【要約】  操作性が低い。  電子装置は、操作指示に基づいて操作を実行する通常モードと、音声ガイド指示に基づいて操作の内容を音声ガイドするとともに、操作指示に基づいて操作を実行する音声モードとを有し、切替操作に応じて、通常モードと、音声モードとを切り替えるモード切替部と、通常モード及び音声モードにおいて、操作指示を入力部から受け付けて操作を実行する操作実行部とを備え、操作実行部は、通常モードでは、第１閾値時間よりも短い時間内での入力部の同じ操作領域への２回の接触を操作指示として受け付けて操作を実行して、音声モードでは、入力部の操作領域の第１接触を音声ガイド指示として受け付けて音声ガイドを実行するとともに、第１閾値時間よりも長い第２閾値時間よりも短い時間内での入力部の同じ操作領域への第１接触の次の第２接触を操作指示として受け付けて操作を実行する。
2014155425.tif 000002
【特許請求の範囲】
【請求項１】
複数の操作領域が形成された入力部から受け付けた操作指示に基づいて操作を実行する通常モードと、前記入力部から受け付けた音声ガイド指示に基づいて操作の内容を音声ガイドするとともに前記入力部から受け付けた操作指示に基づいて操作を実行する音声モードとを有する電子装置であって、
切替操作部から受け付けた切替操作に応じて、通常モードと、音声モードとを切り替えるモード切替部と、
前記通常モード及び前記音声モードにおいて、ユーザの前記入力部への接触により入力された操作指示を前記入力部から受け付けて操作を実行する操作実行部とを備え、
前記操作実行部は、
前記通常モードでは、第１閾値時間よりも短い時間内での前記入力部の同じ操作領域への２回の接触を操作指示として受け付けて操作を実行して、
前記音声モードでは、前記入力部の前記操作領域の第１接触を音声ガイド指示として受け付けて音声ガイドを実行するとともに、前記第１閾値時間よりも長い第２閾値時間よりも短い時間内での前記入力部の同じ前記操作領域への前記第１接触の次の第２接触を操作指示として受け付けて操作を実行する
電子装置。
【請求項２】
前記第２閾値時間は、前記音声ガイドの時間よりも長い
請求項１に記載の電子装置。
【請求項３】
前記操作実行部は、
前記入力部の機能を停止させたスリープモードを実行するとともに、
前記スリープモードを実行すると、前記音声モードにおける前記入力部により入力された前記第１接触をリセットする
請求項１または２に記載の電子装置。
【請求項４】
前記操作実行部は、
前記音声モードにおいて、前記入力部上の前記第１接触と、前記第２接触とが異なる操作領域であった場合、前記第１接触をリセットして、前記第２接触を前記第１接触として音声ガイドを実行する
請求項１から３のいずれか１項に記載の電子装置。
【請求項５】
前記操作実行部は、
前記入力部から異なる操作領域の２個所の接触を同時に受け付けた場合、当該接触を前記音声ガイド指示及び前記操作指示として受け付けない
請求項１から４のいずれか１項に記載の電子装置。
【請求項６】
前記操作実行部は、
前記操作領域の内から外への接触個所の移動を前記入力部から受け付けた場合、当該接触を前記音声ガイド指示及び前記操作指示として受け付けない
請求項１から５のいずれか１項に記載の電子装置。
【請求項７】
前記操作実行部は、
前記操作領域の配置が変更されると、当該変更を音声ガイドする
請求項１から６のいずれか１項に記載の電子装置。
【請求項８】
前記操作実行部は、
前記音声モードにおいて、前記複数の操作領域を前記入力部上で固定する
請求項１から７のいずれか１項に記載の電子装置。
【請求項９】
前記操作実行部は、前記複数の操作領域を複数の階層構造に設定する
請求項１から８のいずれか１項に記載の電子装置。
【請求項１０】
前記操作実行部は、前記複数の階層構造の異なる階層における前記複数の操作領域を同じ配置に設定している
請求項９に記載の電子装置。
【請求項１１】
前記複数の操作領域の境界に沿って突出し、前記入力部の入力側の面に設けられた枠部を更に備える
請求項１から１０のいずれか１項に記載の電子装置。
【請求項１２】
複数の操作領域が形成された入力部から受け付けた操作指示に基づいて操作を実行する通常モードと、前記入力部から受け付けた音声ガイド指示に基づいて操作の内容を音声ガイドするとともに前記入力部から受け付けた操作指示に基づいて操作を実行する音声モードとをコンピュータに実行させる制御プログラムであって、
切替操作部から受け付けた切替操作に応じて、通常モードと、音声モードとを切り替えるモード切替段階と、
前記通常モード及び前記音声モードにおいて、ユーザの接触により入力された操作指示を前記入力部から受け付けて操作を実行する操作実行段階とを備え、
前記操作実行段階は、
前記通常モードでは、第１閾値時間よりも短い時間内での前記入力部の同じ操作領域への２回の接触を操作指示として受け付けて操作を実行して、
前記音声モードでは、前記入力部の前記操作領域の第１接触を音声ガイド指示として受け付けて音声ガイドを実行するとともに、前記第１閾値時間よりも長い第２閾値時間よりも短い時間内での前記入力部の同じ前記操作領域への前記第１接触の次の第２接触を操作指示として受け付けて操作を実行する
制御プログラム。
【発明の詳細な説明】
【技術分野】
【０００１】
本発明は、電子装置及び制御プログラムに関する。
【背景技術】
【０００２】
音声ガイドすることなく操作を実行可能なモードと、操作の内容を音声でガイドするモードとを切替られる電子装置が知られている（例えば、特許文献１参照）。
［特許文献１］  特開２００６−２８５８５９号公報
【発明の概要】
【発明が解決しようとする課題】
【０００３】
しかしながら、上述の電子装置では、操作を実行するボタンと、音声ガイドを実行させるボタンとが異なるので、操作性が低いという課題がある。
【課題を解決するための手段】
【０００４】
本発明の第１の態様においては、複数の操作領域が形成された入力部から受け付けた操作指示に基づいて操作を実行する通常モードと、前記入力部から受け付けた音声ガイド指示に基づいて操作の内容を音声ガイドするとともに前記入力部から受け付けた操作指示に基づいて操作を実行する音声モードとを有する電子装置であって、切替操作部から受け付けた切替操作に応じて、通常モードと、音声モードとを切り替えるモード切替部と、前記通常モード及び前記音声モードにおいて、ユーザの前記入力部への接触により入力された操作指示を前記入力部から受け付けて操作を実行する操作実行部とを備え、前記操作実行部は、前記通常モードでは、第１閾値時間よりも短い時間内での前記入力部の同じ操作領域への２回の接触を操作指示として受け付けて操作を実行して、前記音声モードでは、前記入力部の前記操作領域の第１接触を音声ガイド指示として受け付けて音声ガイドを実行するとともに、前記第１閾値時間よりも長い第２閾値時間よりも短い時間内での前記入力部の同じ前記操作領域への前記第１接触の次の第２接触を操作指示として受け付けて操作を実行する電子装置を提供する。【０００５】
本発明の第２の態様においては、複数の操作領域が形成された入力部から受け付けた操作指示に基づいて操作を実行する通常モードと、前記入力部から受け付けた音声ガイド指示に基づいて操作の内容を音声ガイドするとともに前記入力部から受け付けた操作指示に基づいて操作を実行する音声モードとをコンピュータに実行させる制御プログラムであって、切替操作部から受け付けた切替操作に応じて、通常モードと、音声モードとを切り替えるモード切替段階と、前記通常モード及び前記音声モードにおいて、ユーザの接触により入力された操作指示を前記入力部から受け付けて操作を実行する操作実行段階とを備え、前記操作実行段階は、前記通常モードでは、第１閾値時間よりも短い時間内での前記入力部の同じ操作領域への２回の接触を操作指示として受け付けて操作を実行して、前記音声モードでは、前記入力部の前記操作領域の第１接触を音声ガイド指示として受け付けて音声ガイドを実行するとともに、前記第１閾値時間よりも長い第２閾値時間よりも短い時間内での前記入力部の同じ前記操作領域への前記第１接触の次の第２接触を操作指示として受け付けて操作を実行する制御プログラムを提供する。【０００６】
なお、上記の発明の概要は、本発明の必要な特徴の全てを列挙したものではない。また、これらの特徴群のサブコンビネーションもまた、発明となりうる。
【図面の簡単な説明】
【０００７】
【図１】本実施形態にかかる電子装置１０の全体図である。
【図２】電子装置１０の制御系の全体構成を説明するブロック図である。
【図３】制御部３４によって実行される制御処理のフローチャートである。
【図４】制御処理におけるステップＳ１０の通常モード処理のフローチャートである。
【図５】通常モード処理におけるステップＳ２６のダブルタップ処理のフローチャートである。
【図６】制御処理におけるステップＳ１６の音声モード処理のフローチャートである。
【図７】音声モード処理の表示部１４に表示される画像を説明する画面の図である。
【図８】音声モード処理の表示部１４に表示される画像を説明する画面の図である。
【図９】枠部４０を設けた電子装置１１０の全体図である。
【発明を実施するための形態】
【０００８】
以下、発明の実施の形態を通じて本発明を説明するが、以下の実施形態は請求の範囲にかかる発明を限定するものではない。また、実施形態の中で説明されている特徴の組み合わせの全てが発明の解決手段に必須であるとは限らない。
【０００９】
図１は、本実施形態にかかる電子装置１０の全体図である。電子装置１０の一例は、スマートフォンまたはタブレット等の携帯機器である。電子装置１０は、複数の操作領域２２が形成された入力部１６から受け付けた操作指示に基づいて操作を実行する通常モードと、入力部１６から受け付けた音声ガイド指示に基づいて操作の内容を音声ガイドするとともに入力部１６から受け付けた操作指示に基づいて操作を実行する音声モードとを有する。電子装置１０は、視覚障害者等による操作性の向上を実現する。図１に示すように、電子装置１０は、筐体１２と、表示部１４と、入力部１６と、スピーカ１８と、押圧ボタン２０とを備える。
【００１０】
筐体１２は、薄型の直方体形状に形成されている。筐体１２は、中空状に形成されている。筐体１２は、内部及び前面で、表示部１４、入力部１６、スピーカ１８、押圧ボタン２０を保持する。
【００１１】
表示部１４は、筐体１２の前面に設けられている。表示部１４は、液晶表示装置、有機ＥＬ表示装置等を有する。表示部１４は、文字、図形、記号等を含む画像を表示する。図１に示す通常モードの例では、表示部１４は、複数の操作ボタン２１を表示している。
【００１２】
入力部１６は、表示部１４の前面の略全面にわたって設けられている。入力部１６の一例は、タッチパネルである。入力部１６は、ユーザが指等によって接触した領域の座標を出力する。入力部１６には、複数の操作領域２２が設定される。各操作領域２２には、操作の機能が割り当てられている。入力部１６に形成される複数の操作領域２２は、表示部１４に表示される操作ボタン２１と同じ領域に形成されている。
【００１３】
スピーカ１８は、筐体１２の上部の前面に設けられている。スピーカ１８は、操作の音声ガイド等の音声を出力する。
【００１４】
押圧ボタン２０は、筐体１２の前面の下部に設けられている。図１に示す例では、押圧ボタン２０の個数は、２個であるが、当該個数は、単数または３個以上であってもよい。各押圧ボタン２０には、操作の機能が割り当てられている。ユーザは、当該押圧ボタン２０を押圧することによって、割り当てられた操作を実行させる。押圧ボタン２０に割り当てられている機能の一例は、電源操作及び切替操作である。電源操作は、電源のオン・オフを切り替える操作である。切替操作は、通常モードと、音声モードと切り替える操作である。押圧ボタン２０は、切替操作部の一例である。
【００１５】
図２は、電子装置１０の制御系の全体構成を説明するブロック図である。図２に示すように、電子装置１０は、振動部３０と、通信部３２と、制御部３４と、記憶部３５とを更に備える。制御部３４及び記憶部３５が、コンピュータの一例である。
【００１６】
振動部３０の一例は、振動モータである。振動部３０は、制御部３４から出力される振動指示によって電子装置１０を振動させる。
【００１７】
通信部３２は、制御部３４から出力される通信信号によって、電話回線及びインターネット回線等によって外部と通信する。
【００１８】
制御部３４は、ＣＰＵ（Central Processing Unit）等の演算処理装置を有する。制御部３４は、電子装置１０の制御全般を司る。制御部３４は、モード切替部３６と、操作実行部３８とを有する。制御部３４は、記憶部３５に記憶された制御プログラムを読み込むことによって、モード切替部３６及び操作実行部３８として機能する。尚、制御部３４は、モード切替部３６及び操作実行部３８の機能の一部または全部を回路等のハードウェアとして構成してもよく、ハードウェア及び制御プログラムの組み合わせとしてもよい。
【００１９】
モード切替部３６は、ユーザが入力した指示を押圧ボタン２０から受け付ける。モード切替部３６が押圧ボタン２０から受け付ける指示の一例は、電源操作である。モード切替部３６は、電源操作を受け付けると、電子装置１０の電源のオン・オフを切り替える。モード切替部３６が押圧ボタン２０から受け付ける指示の一例は、切替操作である。モード切替部３６は、切替操作を受け付けると、シングルタップモード及びダブルタップモードを含む通常モードと、音声モードとを切り替える。各モードについては、後述する。
【００２０】
操作実行部３８は、通常モード及び音声モードにおいて、ユーザの接触により入力された操作指示を入力部１６から受け付けて、操作を実行する。操作実行部３８は、通常モードでは、予め定められて記憶部３５に記憶された第１閾値時間よりも短い時間内での、入力部１６の同じ操作領域２２への２回の接触を操作指示として受け付けて操作を実行する。操作実行部３８は、音声モードでは、入力部１６の操作領域２２の第１接触を音声ガイド指示として受け付けて操作領域２２の機能の音声ガイドを実行するとともに、予め定められて記憶部３５に記憶された第２閾値時間よりも短い時間内での入力部１６の同じ操作領域２２への第１接触の次の第２接触を操作指示として受け付けて操作を実行する。
【００２１】
また、操作実行部３８は、入力部１６の機能が停止するスリープモードを実行する。操作実行部３８は、例えば、記憶部３５に記憶されたスリープ時間よりも長い間、入力部１６による入力がない場合、スリープモードを実行する。操作実行部３８は、スリープモードを実行すると、音声モードにおける入力部１６により入力された第１接触をリセットする。
【００２２】
記憶部３５は、制御プログラム、及び、制御用の各設定値を記憶する。設定値の一例は、第１閾値時間、第２閾値時間及びスリープ時間である。第１閾値時間は、通常モードのダブルタップモードにおける操作指示か否かを判定する時間である。第２閾値時間は、音声モードにおいて、操作指示か否かを判定する時間である。第２閾値時間は、第１閾値時間よりも長い。例えば、第１閾値時間は１秒未満であって、第２閾値時間は１秒以上である。第２閾値時間は、音声ガイドにより音声が流れている時間よりも長いことが好ましい。スリープ時間は、表示部１４及び入力部１６の機能を停止させるスリープモードにするか否かを判定する時間である。
【００２３】
記憶部３５は、操作領域２２に関連付けられた機能を特定する情報、及び、音声ガイド用の機能の音声を記憶する。また、記憶部３５は、通常モードのシングルタップモード及びダブルタップモードのいずれかを判定するための設定用フラグを記憶する。尚、設定用フラグは、入力部１６を介して、ユーザによって設定される。
【００２４】
図３は、制御部３４によって実行される制御処理のフローチャートである。制御処理は、電源がオンに切り替えられて、制御部３４が記憶部３５から制御プログラムを読み込むことによって実行される。
【００２５】
図３に示すように、制御処理では、まず、操作実行部３８が通常モード処理を実行する（Ｓ１０）。次に、モード切替部３６は、押圧ボタン２０から電源操作を受け付けたか否かを判定する（Ｓ１２）。モード切替部３６は、電源操作を受け付けない限り（Ｓ１２：Ｎｏ）、制御処理を継続する。次に、モード切替部３６は、押圧ボタン２０から切替操作を受け付けたか否かを判定する（Ｓ１４）。モード切替部３６は、押圧ボタン２０から切替操作を受け付けない限り（Ｓ１４：Ｎｏ）、操作実行部３８に通常モード処理を継続させる。一方、モード切替部３６は、押圧ボタン２０から切替操作を受け付けると（Ｓ１４：Ｙｅｓ）、操作実行部３８にモードの切り替えを指示する。これにより、操作実行部３８は、音声モード処理を実行する（Ｓ１６）。モード切替部３６は、押圧ボタン２０から電源操作を受け付けない限り（Ｓ１８：Ｎｏ）、制御処理を継続する。また、モード切替部３６が、押圧ボタン２０から切替操作を受け付けない限り（Ｓ２０：Ｎｏ）、操作実行部３８は、音声モード処理を継続する。一方、モード切替部３６は、押圧ボタン２０から切替操作を受け付けると（Ｓ２０：Ｙｅｓ）、操作実行部３８にモードの切り替えを指示する。これにより、操作実行部３８は、音声モード処理を終了して、通常モード処理を実行する（Ｓ１０）。この後、モード切替部３６が、押圧ボタン２０から電源操作を受け付けると（Ｓ１２：Ｙｅｓ、Ｓ１８：Ｙｅｓ）、電源をオフに切り替えて、制御処理を終了する。
【００２６】
図４は、制御処理におけるステップＳ１０の通常モード処理のフローチャートである。
【００２７】
図４に示すように、通常モード処理では、操作実行部３８は、通常モード用の画像を表示する（Ｓ２１）。通常モード用の画像の一例は、図１に示す複数の操作領域２２と同じ領域に形成された操作ボタン２１を含む画像である。次に、操作実行部３８は、シングルタップ設定か否かを判定する（Ｓ２２）。例えば、操作実行部３８は、記憶部３５に記憶された設定用フラグに基づいて、シングルタップ設定か否かを判定する。操作実行部３８は、シングルタップ設定と判定すると（Ｓ２２：Ｙｅｓ）、シングルタップ処理を実行する（Ｓ２４）。シングルタップ処理では、ユーザが入力部１６に１回接触する、即ち、シングルタップすることによって、操作実行部３８は、入力部１６から接触した領域の座標を操作指示として受け付ける。これにより、操作実行部３８は、接触領域の入力部１６に設定された操作領域２２に対応する操作を実行する。一方、操作実行部３８は、シングルタップ設定でないと判定すると（Ｓ２２：Ｎｏ）、ダブルタップ処理を実行する（Ｓ２６）。
【００２８】
図５は、通常モード処理におけるステップＳ２６のダブルタップ処理のフローチャートである。
【００２９】
図５に示すように、ダブルタップ処理では、操作実行部３８は、ユーザが入力部１６に接触したか否かを判定する（Ｓ３０）。操作実行部３８は、ユーザが入力部１６に接触していないと判定するとダブルタップ処理を終了する（Ｓ３０：Ｎｏ）。操作実行部３８は、入力部１６からユーザが接触した領域の座標が入力されると、ユーザが接触したと判定して（Ｓ３０：Ｙｅｓ）、判定時間の計測を開始する（Ｓ３２）。次に、操作実行部３８は、判定時間が第１閾値時間内か否かを判定する（Ｓ３４）。操作実行部３８は、判定時間が第１閾値時間を超えていると判定すると（Ｓ３４：Ｎｏ）、ダブルタップ処理を終了する。
【００３０】
操作実行部３８は、判定時間が第１閾値時間を超えていないと判定すると（Ｓ３４：Ｙｅｓ）、操作実行部３８は、ユーザが再度、入力部１６に接触したか否かを判定する（Ｓ３６）。操作実行部３８は、ユーザが入力部１６に接触していないと判定すると（Ｓ３６：Ｎｏ）、第１閾値時間を超えるまで、ステップＳ３４、Ｓ３６を繰り返す。操作実行部３８は、入力部１６からユーザが接触した領域の座標が入力されると、ユーザが接触したと判定する（Ｓ３６：Ｙｅｓ）。次に、操作実行部３８は、入力部１６から取得した接触した領域の座標に基づいて、当該ステップＳ３６の前にユーザが接触した入力部１６上の操作領域２２と、ステップＳ３６においてユーザが接触した入力部１６上の操作領域２２とが同じか否かを判定する（Ｓ３８）。操作実行部３８は、当該２回の接触が同じ操作領域２２でないと判定すると（Ｓ３８：Ｎｏ）、ステップＳ３２に戻って、ステップＳ３６の接触に関連付けられた判定時間の計測を開始する。この後、ステップＳ３８において、操作実行部３８は、先のステップＳ３６の接触と、次のステップＳ３６の接触とが同じ操作領域２２であるか否かを判定する。一方、操作実行部３８は、連続する２回の接触が同じ操作領域２２と判定すると（Ｓ３８：Ｙｅｓ）、当該操作領域２２に関連付けられた操作を実行する（Ｓ４０）。
【００３１】
図６は、制御処理におけるステップＳ１６の音声モード処理のフローチャートである。図７及び図８は、音声モード処理の表示部１４に表示される画像を説明する画面の図である。
【００３２】
図６に示すように、音声モード処理が開始すると、操作実行部３８は、図７に示すように、複数の操作ボタン２１を含む音声モード用の画像を表示する。操作実行部３８は、操作ボタン２１に対応する位置に操作領域２２を設定して、当該操作領域２２を入力部１６上で固定する（Ｓ５０）。即ち、操作実行部３８は、表示部１４及び入力部１６内での操作ボタン２１及び操作領域２２の座標を固定している。各操作ボタン２１及び各操作領域２２は、同形状に形成されている。操作ボタン２１及び操作領域２２の一例は、四角形状である。操作ボタン２１及び操作領域２２は、縦横に沿って配列されている。操作ボタン２１及び操作領域２２は、例えば、縦及び横に４個及び３個ずつ配列されている。操作ボタン２１及び操作領域２２は、互いに接するように表示部１４及び入力部１６の面内に配置することが好ましい。
【００３３】
次に、操作実行部３８は、ユーザが入力部１６に接触したか否かを判定する（Ｓ５２）。操作実行部３８は、ユーザが入力部１６に接触していないと判定すると音声モード処理を終了する（Ｓ５２：Ｎｏ）。一方、操作実行部３８は、入力部１６からユーザが接触した領域の座標が入力されると、ユーザが接触したと判定して（Ｓ５２：Ｙｅｓ）、判定時間の計測を開始する（Ｓ５４）。この接触が、第１接触に相当する。次に、操作実行部３８は、ユーザが接触した領域の座標から、記憶部３５に記憶されたユーザの接触した領域の操作領域２２の機能を判別する（Ｓ５６）。操作実行部３８は、記憶部３５から機能の音声を取得して、判別した機能を音声ガイドする（Ｓ５８）。尚、操作実行部３８は、音声ガイドとともに、振動部３０を制御して、電子装置１０を振動させてもよい。
【００３４】
操作実行部３８は、ユーザが再度、入力部１６に接触したか否かを判定する（Ｓ６０）。操作実行部３８は、ユーザが入力部１６に接触していないと判定すると（Ｓ６０：Ｎｏ）、スリープ時間が経過したか否かを判定する（Ｓ６２）。操作実行部３８は、判定時間がスリープ時間を経過していると判定すると（Ｓ６２：Ｙｅｓ）、記憶部３５に記憶されている第１接触の情報をリセットする（Ｓ６４）。その後、操作実行部３８は、電子装置１０をスリープモードにする（Ｓ６６）。一方、操作実行部３８は、ステップＳ６２において、判定時間がスリープ時間を経過していないと判定すると（Ｓ６２：Ｎｏ）、ステップＳ６０の処理を再度実行する。換言すれば、操作実行部３８は、スリープ時間が経過するまで、ユーザの次の接触の待機状態となる。
【００３５】
操作実行部３８は、ステップＳ６０において、入力部１６からユーザが接触した領域の座標が入力されると、ユーザが接触したと判定する（Ｓ６０：Ｙｅｓ）。この接触が第２接触に相当する。操作実行部３８は、入力部１６上のユーザの接触した領域の座標から、先の第１接触と今回の第２接触とが同じ操作領域２２か否かを判定する（Ｓ６８）。操作実行部３８は、第１接触と、第２接触とが異なる操作領域２２であると判定すると（Ｓ６８：Ｎｏ）、第１接触をリセットして（Ｓ６９）、ステップＳ５４、Ｓ５６を実行した後、第２接触を第１接触として、当該第１接触の操作領域２２の機能を音声ガイドする（Ｓ５８）。
【００３６】
一方、操作実行部３８は、ユーザの先の接触と、今回の接触とが同じ操作領域２２であると判定すると（Ｓ６８：Ｙｅｓ）、判定時間が第２閾値時間内か否かを判定する（Ｓ７０）。操作実行部３８は、判定時間が第２閾値内でないと判定すると（Ｓ７０：Ｎｏ）、先の接触をリセットして（Ｓ６９）、ステップＳ５４、Ｓ５６を実行した後、今回のユーザの接触を第１接触として操作領域２２の音声ガイドをする（Ｓ５８）。
【００３７】
一方、操作実行部３８は、判定時間が第２閾値時間内と判定すると（Ｓ７０：Ｙｅｓ）、今回の接触した操作領域２２に対応する操作を実行する（Ｓ７２）。尚、操作実行部３８は、操作実行とともに、振動部３０を制御して、電子装置１０を振動させてもよい。更に、操作実行部３８は、音声ガイド時の振動と、操作実行時の振動とを異ならせることが好ましい。これにより、電子装置１０は、音声ガイドか操作実行かを容易に認識することができる。
【００３８】
例えば、ユーザが入力部１６の「現在地」の領域に接触して、操作実行部３８が、当該機能を実行する場合、通信部３２を介して、緯度及び経度を含む位置情報を取得する。そして、操作実行部３８は、取得した位置情報から現在地を特定して、現在地をスピーカ１８によって音声で出力する。また、ユーザが入力部１６の「お父さん」の領域に接触して、操作実行部３８が当該機能を実行する場合、図８に示す下層の画像を表示部１４に表示させるとともに、入力部１６の各操作領域２２に下層の機能を対応付ける。即ち、操作実行部３８は、複数の操作領域２２を複数の階層構造に設定している。
【００３９】
図８に示す画像は、複数の操作領域２２と同じ位置に表示された操作ボタン２１を含む。ここで、図７に示す操作ボタン２１及び操作領域２２と、図８に示す操作ボタン２１及び操作領域２２は、形状及び配列が同じである。即ち、操作実行部３８は、複数の階層構造の異なる階層における複数の操作領域２２を同じ配置に設定している。この後、操作実行部３８が図８に示す画像を表示させつつ、図６に示すフローチャートを実行している状態で、ユーザが第２閾値時間内で「電話」の領域に２回接触すると、操作実行部３８は、「電話」とスピーカ１８に音声ガイドさせた後、通信部３２によって「お父さん」に電話をかける。操作実行部３８が、操作を実行すると（Ｓ７２）、ステップＳ１８以降の処理が実行される。
【００４０】
上述したように、電子装置１０では、ユーザが同じ操作領域２２に２回接触することにより、操作実行部３８は、１回目の接触により当該操作領域２２の機能を音声ガイドして、２回目の接触により当該操作領域２２の操作を実行する。このように、ユーザが同じ操作領域２２に接触することにより音声ガイド及び操作の実行を実現できるので、電子装置１０は、操作性を向上させることができる。
【００４１】
電子装置１０では、通常モードのダブルタップを判定する第１閾値時間よりも、音声モードにおけるダブルタップを判定する第２閾値時間の方が長い。従って、ユーザが音声ガイドを聞きつつ、ゆっくりと操作することができるので、電子装置１０は、より操作性を向上させることができる。
【００４２】
電子装置１０では、スリープモードを実行すると、接触がリセットされる。これにより、電子装置１０は、スリープモードから復帰した後、ユーザの最初の接触によって、操作実行部３８が、音声ガイドなしで、操作を実行することを抑制できる。
【００４３】
電子装置１０では、操作実行部３８が、操作ボタン２１及び操作領域２２を固定しているので、音声ガイド後に操作ボタン２１及び操作領域２２が移動して、ユーザが誤った機能を実行させることを抑止できる。また、電子装置１０では、操作実行部３８が、複数の操作領域２２を複数の階層構造にしているので、操作領域２２を固定しても、操作可能な機能を増加させることができる。
【００４４】
図９は、枠部４０を設けた電子装置１１０の全体図である。図９に示すように、電子装置１１０は、枠部４０を更に備える。枠部４０は、入力部１６の入力側の面に設けられている。枠部４０は、入力部１６から突出している。枠部４０は、外周部４２と、境界部４４とを有する。外周部４２は、入力部１６の外周の全周にわたって設けられている。境界部４４は、各操作領域２２の境界に沿って設けられている。従って、操作領域２２は、外周部４２及び境界部４４によって囲まれている。操作領域２２は、外周部４２及び境界部４４が囲む内側で露出している。従って、電子装置１１０は、枠部４０によって各操作領域２２の位置及び形状をユーザに認識させることができる。また、電子装置１１０は、枠部４０の内側から操作領域２２を露出させることにより、枠部４０が入力部１６によるユーザの接触の検出の妨げとなることを抑制できる。また、図７及び図８に示すように、音声モードにおいて、画像が異なる層の画像に変わっても、操作領域２２の形状及び配列が同じ場合、枠部４０が各層の画像に対応することができる。
【００４５】
上述の実施形態における各構成の形状、配置、個数等の数値、構成間の接続関係は適宜変更してよい。また、上述の各実施形態を組み合わせてもよい。
【００４６】
上述の実施形態では、操作実行部３８は、ユーザの接触を検出すると、判定時間の計測を開始したが、判定時間の計測を開始するタイミングは適宜変更してよい。例えば、操作実行部３８は、音声ガイドの終了後に判定時間の計測を開始してもよい。これにより、ユーザは音声ガイドを最後まで聞いた後に操作を実行することができる。また、操作実行部３８は、検出されていたユーザの接触が検出されなくなってから判定時間の計測を開始してもよい。
【００４７】
上述の実施形態では、モード切替部３６は、ユーザの押圧ボタン２０による操作によって、通常モード及び音声モードを切り替えていたが、モードの切り替えを入力部１６からの切替操作によって実行してもよい。この場合、入力部１６が、切替操作部を兼ねることになる。
【００４８】
上述の実施形態では、ユーザが入力部１６の１個所に接触することを想定しているが、ユーザが同時に入力部１６の複数個所に接触した場合を想定してもよい。この形態において、操作実行部３８は、入力部１６から異なる操作領域の２個所の接触を同時に受け付けた場合、当該接触を音声ガイド指示及び操作指示として受け付けないようにしてもよい。これにより、操作実行部３８が、同時に異なる操作領域の音声ガイドをすることを抑制できるので、操作性を向上させることができる。
【００４９】
上述の実施形態では、ユーザが入力部１６の接触個所を固定していることを想定しているが、接触個所が移動した場合を想定してもよい。この形態において、操作実行部３８は、入力部１６から接触個所の移動を受け付けた場合、当該接触を音声ガイド指示及び操作指示として受け付けないようにしてもよい。ここでいう接触個所の移動とは、最初の接触個所が接触した操作領域２２の内から外への移動のことである。例えば、異なる操作領域２２を跨ぐ接触個所の移動のことである。これにより、ユーザが接触個所を複数の操作領域を跨いで移動させた場合でも、操作実行部３８が、同時に異なる操作領域の音声ガイドをすることを抑制できるので、操作性を向上させることができる。
【００５０】
電子装置１０、１１０が、操作ボタン２１及び操作領域２２の形状及び配置を変更できるように構成してもよい。この場合、操作実行部３８は、当該変更を受け付けると、変更した旨、及び、変更の内容を音声ガイドさせることが好ましい。
【００５１】
上述の実施形態では、通常モードにおいて、シングルタップモード及びダブルタップモードに切替可能に構成したが、通常モードにおいて、シングルタップモード及びダブルタップモードを混在させてもよい。例えば、通常モードにおいて、一の操作領域２２はシングルタップによって操作を実行して、一の操作領域２２と同時に設定される他の操作領域２２はダブルタップによって操作を実行してもよい。
【００５２】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、請求の範囲の記載から明らかである。
【００５３】
請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。請求の範囲、明細書、および図面中の動作フローに関して、便宜上「まず、」、「次に、」等を用いて説明したとしても、この順で実施することが必須であることを意味するものではない。
【符号の説明】
【００５４】
１０  電子装置
１２  筐体
１４  表示部
１６  入力部
１８  スピーカ
２０  押圧ボタン
２１  操作ボタン
２２  操作領域
３０  振動部
３２  通信部
３４  制御部
３５  記憶部
３６  モード切替部
３８  操作実行部
４０  枠部
４２  外周部
４４  境界部
１１０  電子装置
【図１】
2014155425.tif 000003
【図２】
2014155425.tif 000004
【図３】
2014155425.tif 000005
【図４】
2014155425.tif 000006
【図５】
2014155425.tif 000007
【図６】
2014155425.tif 000008
【図７】
2014155425.tif 000009
【図８】
2014155425.tif 000010
【図９】
2014155425.tif 000011
【国際調査報告】
2014155425.tif 000012
2014155425.tif 000013
2014155425.tif 000014
2014155425.tif 000015